【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
加湿装置であって、前記加湿装置は加湿チャンバを備え、前記加湿チャンバは、 
少なくとも1つの側壁と
前記少なくとも1つの側壁に接続された上壁と
前記少なくとも1つの側壁に接続された底面と
前記少なくとも1つの側壁および前記上壁によって少なくとも部分的に画成され、ある量の液体を保持するように構成されたキャビティと、
前記上壁から延び、前記上壁を通って前記加湿チャンバの前記キャビティに入る通路を画成する入口ポートと、
前記上壁から延び、前記上壁を通って前記加湿チャンバの前記キャビティから出る通路を形成する出口ポートと、
を備え、 
前記加湿装置が、前記出口ポートに結合されているか、あるいは結合されるように構成された吸息導管チャンバ端部コネクタをさらに備え、
前記出口ポートが、前記吸息導管チャンバ端部コネクタの対応するリブ詳細部分と係合するように構成された第１のリブ詳細部分を備え、この第１のリブ詳細部分により、前記吸息導管チャンバ端部コネクタの前記出口ポートへの接続が許容されるが、前記吸息導管チャンバ端部コネクタの前記入口ポートへの不適切な接続、または供給導管チャンバ端部コネクタの前記出口ポートへの不適切な接続が抑制されるようになっている、加湿装置。
【請求項２】
前記加湿チャンバは、その上壁に突起を有し、前記突起は、前記加湿装置のヒーターベースに設けられた対応する凹部と嵌合して、前記加湿チャンバのヒーターベース上への挿入を案内するように構成されている、請求項１記載の加湿装置。
【請求項３】
前記加湿チャンバの突起と前記ヒーターベースの対応する凹部が、前記加湿チャンバを正しい回転方向でヒーターベースに挿入することを案内する、請求項２に記載の加湿装置。
【請求項４】
前記入口ポートは、第１のセンサーアパーチャを備え、前記第１のセンサーアパーチャは、第１のセンサーを受け入れるように構成され、前記出口ポートは、第２のセンサーアパーチャを備え、前記第２のセンサーアパーチャは、第２のセンサーを受け入れるように構成されている、請求項１から３のうちのいずれか一項に記載の加湿装置。
【請求項５】
前記第１および第２のセンサーは、前記加湿装置のヒーターベースに取り付けられている、請求項４に記載の加湿装置。
【請求項６】
前記第１および第２のセンサーアパーチャに配置されたグロメットをさらに備え、前記グロメットが前記第１および第２のセンサーアパーチャを気密に封止する、請求項４または５に記載の加湿装置。
【請求項７】
第１および第２のセンサーを備え、前記グロメットは、前記第１および第２のセンサーを受け入れ、前記第１および第２のセンサーを洗浄せずに再利用できるように、前記加湿チャンバに出入りするガスとの直接的な接触から前記第１および第２のセンサーを保護するように構成されている、請求項６に記載の加湿装置。
【請求項８】
前記加湿チャンバの前記少なくとも１つの側壁および前記上壁のうちの少なくとも１つが、前記加湿チャンバの前面および加湿チャンバの背面を画成する特徴を構成し、前記加湿チャンバは、前記加湿チャンバの前記背面の垂直方向の高さが短く、前記加湿チャンバの前記前面の垂直方向の高さが高くなっており、これにより前記加湿チャンバが前記ヒーターベース上に後ろ向きに設置される可能性を低減する、請求項１から７のうちのいずれか一項に記載の加湿装置。
【請求項９】
前記ヒーターベースは、センサーカートリッジモジュールを含み、
前記センサーカートリッジモジュールは、前記対応する凹部を有し、
前記加湿チャンバの前記突起は、前記センサーカートリッジモジュールの前記対応する凹部と嵌合し、前記加湿チャンバと前記センサーカートリッジモジュールの接続を案内するように構成されている、
請求項２または３、あるいは請求項２に従属する請求項４から８のいずれか一項に記載の加湿装置。
【請求項１０】
前記供給導管チャンバ端部コネクタおよび／または前記吸息導管チャンバ端部コネクタを備え、これらのコネクタが、折れ曲がっているかあるいはエルボーの形状を有し、これにより前記コネクタおよび／または前記導管が前記加湿装置のディスプレイを覆い隠すことを抑制または防止し、ディスプレイの視認性を向上させる、請求項１から９のうちのいずれか一項に記載の加湿装置。
【請求項１１】
前記入口ポートは、前記供給導管チャンバ端部コネクタに結合されているか、または結合されるように構成されていること、および／または
前記供給導管チャンバ端部コネクタおよび／または前記吸息導管チャンバ端部コネクタが約１１２度の角度で曲げられており、当該コネクタは、前記ポートに結合されたときに当該コネクタが対応するポートから水平より上方に２２度の角度で延びるようになっていること、および／または
前記第１のリブ詳細部分が、前記出口ポートを円周方向に取り囲んでいること、
を満足する、請求項１から１０のうちのいずれか一項に記載の加湿装置。
【請求項１２】
前記供給導管チャンバ端部コネクタを備え、前記入口ポートは、前記供給導管チャンバ端部コネクタ上の対応するリブ詳細部分と係合するように構成された第２の円周方向リブ詳細部分を備えている、請求項１から１１のうちのいずれか一項に記載の加湿装置。
【請求項１３】
前記加湿チャンバは、オペレータが前記加湿チャンバをより容易に保持できるように構成されたグリップを備えている、請求項１から１２のうちのいずれか一項に記載の加湿装置。
【請求項１４】
前記グリップは、前記加湿チャンバの周囲を部分的または完全に延びている、
請求項１３に記載の加湿装置。
【請求項１５】
前記グリップは、前記加湿チャンバの前記側壁に設けられた凹部を備えている、請求項１３または１４に記載の加湿装置。
【請求項１６】
前記グリップの前記凹部は、ユーザが前記凹部によって前記加湿チャンバを把持する能力を向上させるためのリブを備えていること、および／または、
前記グリップの凹部は、使用者の親指とそれ以外の指とで把持できるように、互いに対向して設けられていること、
を満足する、請求項１５に記載の加湿装置。
【請求項１７】
前記加湿チャンバの前記入口ポートに接続可能な供給導管と、
前記加湿チャンバの前記出口ポートに接続可能な吸息導管と、
を備えた、請求項１から１６のうちのいずれか一項に記載の加湿装置。
【請求項１８】
前記加湿装置が呼息導管を備えていること、および／または
前記供給導管、前記吸息導管および前記呼息導管のうちの１つまたは複数が、配送および／または保管のために、回路スリーブを用いてループ状にまとめられていること、
を満足する、請求項１７に記載の加湿装置。
【請求項１９】
Ｙピースを備え、
前記吸息導管の一端は、前記Ｙピースの第１の岐管に結合されるように構成された患者端部コネクタを備え、  
前記呼息導管の一端は、前記Ｙピースの第２の枝管に結合されるように構成された患者端部コネクタを備え、および／または
前記Ｙピースは、第１のインジケータを備える、
請求項１８に記載の加湿装置。
【請求項２０】
前記供給導管チャンバ端部コネクタの少なくとも一部および前記入口ポートの少なくとも一部が、第２のインジケータを備え、および／または
前記吸息導管のチャンバ端部コネクタの少なくとも一部および前記出口ポートの少なくとも一部が、第３のインジケータを備え、 
そして任意採択的に、
前記第２のインジケータが第１の色を有し、および／または、第３のインジケータが第２の色を有する
請求項１７から１９のうちのいずれか一項に記載の加湿装置。